(57)【特許請求の範囲】
【請求項１】
磁気信号の入力により遮断信号を出力する弁遮断スイッチと、前記遮断信号の入力により遮断し、一定の復帰受け付け期間内に復帰させると復帰信号を出力する遮断弁と、前記復帰信号を光信号として出力する発光部を有するガス遮断装置に対して、外部からの入力により設定情報送信信号を出力する設定器入力部と、コイル駆動信号の入力によりコイルをＯＮ／ＯＦＦさせて前記磁気信号を出力するコイル駆動部と、報知信号が入力されている期間は外部報知する報知手段と、前記発光部からの光信号の入力により受光信号を出力する受光部と、タイマスタート信号の入力によりタイマを動作し、前記コイル駆動直後の復帰を受け付けない期間を経過すると第１タイムアップ信号を出力するタイマ設定部と、前記設定情報送信信号の入力により前記コイル駆動部に前記コイル駆動信号を出力すると共に前記タイマ設定部に前記タイマスタート信号を出力し、前記タイマスタート信号を出力してから前記第１タイムアップ信号を受け取るまで、前記復帰を受け付けない期間を報知する第１報知信号を前記報知手段に出力し続け、前記受光部からの前記受光信号が同期信号か否かを判定して同期信号であれば、ガス遮断装置との通信を開始させる通信制御部とを有するガス遮断装置用の設定器装置。
【請求項２】
タイマ設定部は、第１タイムアップ信号を出力してから、前記復帰受け付け期間が経過すると第２タイムアップ信号を出力するものであり、報知手段は、復帰受け付け期間を報知する第２報知信号により、復帰を受け付けない期間を報知する第１報知信号による報知とは異なる報知をするものであり、通信制御部は、前記第２報知信号を、前記第１タイムアップ信号を入力してから、復帰受け付け期間内に復帰したときはその復帰まで、復帰受け付け期間内に復帰しなかったときは前記第２タイムアップ信号を入力するまで、第１報知信号とは異なるパターンで報知手段に出力するものである請求項１記載のガス遮断装置用の設定器装置。
【請求項３】
磁気信号の入力により遮断信号を出力する弁遮断スイッチと、前記遮断信号の入力により遮断し、一定の復帰受け付け期間内に復帰させると復帰信号を出力する遮断弁と、前記復帰信号を光信号として出力する発光部を有するガス遮断装置に対して、外部からの入力により設定情報送信信号を出力する設定器入力部と、コイル駆動信号の入力によりコイルをＯＮ／ＯＦＦさせて前記磁気信号を出力するコイル駆動部と、報知信号が入力されている期間は外部報知する報知手段と、前記発光部からの光信号の入力により受光信号を出力する受光部と、タイマスタート信号の入力によりタイマを動作し、前記コイル駆動直後の復帰を受け付けない期間を経過すると第１タイムアップ信号を出力し、第１タイムアップ信号を出力してから前記復帰受け付け期間が経過すると第２タイムアップ信号を出力するタイマ設定部と、前記第１タイムアップ信号を入力してから、復帰受け付け期間内に復帰したときはその復帰まで、復帰受け付け期間内に復帰しなかったときは前記第２タイムアップ信号を入力するまで、復帰受け付け期間を報知する第２報知信号を前記報知手段に出力し続け、前記受光部からの前記受光信号が同期信号か否かを判定して同期信号であれば、ガス遮断装置との通信を開始させる通信制御部とを有するガス遮断装置用の設定器装置。
【請求項４】
所定回数だけカウントアップ信号を入力して所定回数に達するまでは再送信信号を出力し、カウンタリセット信号を入力するとカウンタをリセットするカウンタ部を有し、タイマ設定部は、タイマスタート信号の再入力により再度タイマを動作するものであり、通信制御部は、タイマ設定部から第２タイムアップ信号を入力すると前記カウンタ部に前記カウントアップ信号を出力し、カウンタ部から前記再送信信号を受け取るとコイル駆動部にコイル駆動信号を出力すると共に、前記タイマ設定部にタイマスタート信号を再出力し、通信開始と判定すると前記カウンタ部に前記カウンタリセット信号を出力するものである請求項１〜３のいずれか１項に記載のガス遮断装置用の設定器装置。
【請求項５】
設定器入力部は、外部からの入力により設定リセット信号と設定情報送信信号を出力するものであり、通信制御部は、タイマ設定部のタイマが動作中は、前記設定器入力部からの前記設定リセット信号の入力がない限り、前記設定情報送信信号の入力を禁止するものである請求項１〜４のいずれか１項に記載のガス遮断装置用の設定器装置。
【請求項６】
タイマ設定部は、タイマスタート信号の入力によりタイマを動作し、タイマ設定情報信号の入力により所定時間にタイマを設定し、そのタイマ設定時間を経過すると第３タイムアップ信号を出力するものであり、通信制御部は、設定器入力部からの設定情報送信信号を受け取り、それにタイマ設定情報が含まれていれば、前記タイマ設定部に前記タイマ設定情報信号を出力し、前記第３タイムアップ信号の入力により前記タイマ設定時間終了を報知する第３報知信号を出力するものである請求項１〜５のいずれか１項に記載のガス遮断装置用の設定器装置。
【発明の詳細な説明】
【０００１】
【発明の属する技術分野】
本発明は、ガス遮断装置用の設定器装置に関し、特にガス遮断装置に内蔵されたマイコンの各種モードを外部からの情報入力により設定・変更できる設定器装置に関するものである。
【０００２】
【従来の技術】
従来のガス遮断装置用の設定器装置Ｓ１としては、図４に示すようなものがある。図４において、通信制御部Ｓ３は、外部からの入力により設定器入力部Ｓ２から設定情報送信信号Ｔ１を入力し、コイル駆動部Ｓ４にコイル駆動信号Ｔ２を出力してコイル駆動を行わせ、ガス遮断装置Ｍ１のリードスイッチ（以後、弁遮断スイッチと称す。）Ｍ２を前記コイル駆動による磁気信号によりＯＮ／ＯＦＦさせ、ガス栓開閉弁（以後、遮断弁と称す。）Ｍ３に遮断信号Ｎ１を出力してガス通路を閉栓する（以後、遮断という。）。そして一定の時間（例えば４０秒間）以後に遮断弁Ｍ３を開栓（以後、復帰という。）させることにより、ガス遮断装置Ｍ１の発光部Ｍ４から同期信号となる光信号Ｌ２（例えば、ＬＥＤをある時間以上点灯させる。）を設定器装置Ｓ１の受光部Ｓ５に受光させ（例えばフォトトランジスタで受光する。）、ガス遮断装置Ｍ１と設定器装置Ｓ１との通信を可能とさせていた。
【０００３】
ガス遮断装置Ｍ１は電池駆動であり、その電池消耗を極力抑えるために前記一定の時間以後は、低電流モードにする機能を有している。つまり、前記コイル駆動を行ってから低電流モードに移行するまでの前記一定の時間（例えば４０秒間）以後にコイル駆動を行うと低電流モードになってしまい、ガス遮断装置Ｍ１に内蔵されたマイコンが休止されて復帰を受け付けなくなる。遮断弁が遮断されているこの一定の時間内は遮断させたことを表示し（例えばＬＥＤを１．６、１．６、４．８秒間隔のパターンで繰り返し点滅し）、一定の時間が経過した時点でＬＥＤを消灯し弁復帰を受けつけない動作となっている。したがって、通信を成功させるには低電流モードに入る前に弁復帰を行わなければならない。
【０００４】
そのため従来の設定器装置Ｓ１では、コイル駆動部Ｓ４でコイル駆動を行い、ガス遮断装置Ｍ１の弁遮断スイッチＭ２に磁気信号Ｌ１を出力して遮断弁Ｍ３が遮断してから、確実に遮断弁Ｍ３の復帰を受け付けられるまでの一定の時間をガス遮断装置Ｍ１側でカウントし、その時間内であることを外部表示している。
【０００５】
【発明が解決しようとする課題】
しかしながら上記従来の設定器装置Ｓ１では、ガス遮断装置Ｍ１側で遮断状態を示すＬＥＤ等の外部表示しているものの、その表示を目視判別して遮断弁Ｍ３を人手により復帰させなければならないので、コイル駆動直後の復帰を受け付けない期間に遮断弁Ｍ３を復帰させてしまった場合には、ガス遮断装置Ｍ１からは通信開始のための同期信号となる光信号が出力されず、光信号Ｌ２の出力のために再度、設定器装置Ｓ１のコイル駆動をしなければならなかった。
【０００６】
また、コイル駆動直後を過ぎていても、前記一定の時間（４０秒）経過までに復帰をしなかった場合にはガス遮断装置Ｍ１から光信号Ｌ２が出力されなくなり、再度設定器装置Ｓ１のコイル駆動をしなければならず、それに伴って無駄に電池を消耗させてしまうという問題があった。さらに、ガス遮断装置Ｍ１が遮断中であることの表示は点滅表示（例えばＬＥＤを１．６、１．６、４．８秒間隔のパターンで繰り返し点滅）のため、復帰受け付け期間内の点滅間隔の無表示か、復帰を受け付けない期間（コイル駆動直後あるいは一定の期間以後）の無表示かの目視判別ができず不明瞭であるため、作業者が正確に設定器装置Ｓ１のコイル駆動ができず、復帰受け付けない期間にコイル駆動を行った場合には同期信号がとれないためにむやみに遮断し続け、ガス遮断装置Ｍ１が壊れていると誤判断してしまう問題もあった。
【０００７】
【課題を解決するための手段】
本発明は上記のような問題を解決するために、設定器装置からのコイル駆動によりガス遮断装置の遮断弁を遮断させた後、ガス遮断装置の復帰を受け付けない期間を報知手段により報知することにより、人手作業による復帰を操作性よく確実に行うことにより、利便性を向上させた。
【０００８】
上記発明によれば、復帰を受け付けない期間を報知することによって、ガス遮断装置のテスト遮断状態の不明瞭な表示を代行し、設定作業を操作性よく確実に行うことができる。
【０００９】
【発明の実施の形態】
請求項１に記載の発明は、磁気信号の入力により遮断信号を出力する弁遮断スイッチと、前記遮断信号の入力により遮断し、一定の復帰受け付け期間内に復帰させると復帰信号を出力する遮断弁と、前記復帰信号を光信号として出力する発光部を有するガス遮断装置に対して、外部からの入力により設定情報送信信号を出力する設定器入力部と、コイル駆動信号の入力によりコイルをＯＮ／ＯＦＦさせて前記磁気信号を出力するコイル駆動部と、報知信号が入力されている期間は外部報知する報知手段と、前記発光部からの光信号の入力により受光信号を出力する受光部と、タイマスタート信号の入力によりタイマを動作し、前記コイル駆動直後の復帰を受け付けない期間を経過すると第１タイムアップ信号を出力するタイマ設定部と、前記設定情報送信信号の入力により前記コイル駆動部に前記コイル駆動信号を出力すると共に前記タイマ設定部に前記タイマスタート信号を出力し、前記タイマスタート信号を出力してから前記第１タイムアップ信号を受け取るまで、前記復帰を受け付けない期間を報知する第１報知信号を前記報知手段に出力し続け、前記受光部からの前記受光信号が同期信号か否かを判定して同期信号であれば、ガス遮断装置との通信を開始させる通信制御部とを有するガス遮断装置用の設定器装置である。この設定器装置によれば、ガス遮断装置の遮断弁を遮断させるためのコイル駆動からスタートさせたタイマ設定部が、第１タイムアップ信号を出力したときに、コイル駆動を行った直後の復帰を受け付けない期間を、第１報知信号による報知手段により報知することにより、ガス遮断装置が発光部より光信号を出力できない期間であることを作業者に明確にして、復帰操作の確実性、設定作業の操作性を向上する効果がある。
【００１０】
請求項２に記載の発明は、上記発明において、タイマ設定部は、第１タイムアップ信号を出力してから、前記復帰受け付け期間が経過すると第２タイムアップ信号を出力するものであり、報知手段は、復帰受け付け期間を報知する第２報知信号により、復帰を受け付けない期間を報知する第１報知信号による報知とは異なる報知をするものであり、通信制御部は、前記第２報知信号を、前記第１タイムアップ信号を入力してから、復帰受け付け期間内に復帰したときはその復帰まで、復帰受け付け期間内に復帰しなかったときは前記第２タイムアップ信号を入力するまで、第１報知信号とは異なるパターンで報知手段に出力するものであるガス遮断装置用の設定器装置である。この設定器装置によれば、前記復帰を受け付けない期間の第１報知信号による報知に加え、前記タイマ設定部における前記第１タイムアップ信号から第２タイムアップ信号の出力まで、あるいは復帰受け付け期間に復帰したときはその復帰まで、第１報知信号とは異なるパターンで復帰受け付け期間であることを第２報知信号により報知手段に報知させることにより、ガス遮断装置が発光部より光信号を出力できない期間であることも作業者に明確にして、復帰操作の確実性、設定作業の操作性をより向上する効果がある。
【００１１】
請求項３に記載の発明は、磁気信号の入力により遮断信号を出力する弁遮断スイッチと、前記遮断信号の入力により遮断し、一定の復帰受け付け期間内に復帰させると復帰信号を出力する遮断弁と、前記復帰信号を光信号として出力する発光部を有するガス遮断装置に対して、外部からの入力により設定情報送信信号を出力する設定器入力部と、コイル駆動信号の入力によりコイルをＯＮ／ＯＦＦさせて前記磁気信号を出力するコイル駆動部と、報知信号が入力されている期間は外部報知する報知手段と、前記発光部からの光信号の入力により受光信号を出力する受光部と、タイマスタート信号の入力によりタイマを動作し、前記コイル駆動直後の復帰を受け付けない期間を経過すると第１タイムアップ信号を出力し、第１タイムアップ信号を出力してから前記復帰受け付け期間が経過すると第２タイムアップ信号を出力するタイマ設定部と、前記第１タイムアップ信号を入力してから、復帰受け付け期間内に復帰したときはその復帰まで、復帰受け付け期間内に復帰しなかったときは前記第２タイムアップ信号を入力するまで、復帰受け付け期間を報知する第２報知信号を前記報知手段に出力し続け、前記受光部からの前記受光信号が同期信号か否かを判定して同期信号であれば、ガス遮断装置との通信を開始させる通信制御部とを有するガス遮断装置用の設定器装置である。この設定器装置によれば、前記復帰受け付期間のみを報知させることにより、ガス遮断装置が発光部より光信号を出力できない期間であることのみを作業者に明確にして、復帰操作の確実性、設定作業の操作性をより向上する効果がある。
【００１２】
請求項４に記載の発明は、上記各発明において、所定回数だけカウントアップ信号を入力して所定回数に達するまでは再送信信号を出力し、カウンタリセット信号を入力するとカウンタをリセットするカウンタ部を有し、タイマ設定部は、タイマスタート信号の再入力により再度タイマを動作するものであり、通信制御部は、タイマ設定部から第２タイムアップ信号を入力すると前記カウンタ部に前記カウントアップ信号を出力し、カウンタ部から前記再送信信号を受け取るとコイル駆動部にコイル駆動信号を出力すると共に、前記タイマ設定部にタイマスタート信号を再出力し、通信開始と判定すると前記カウンタ部に前記カウンタリセット信号を出力するものであるガス遮断装置用の設定器装置である。この設定器装置によれば、設定器装置側で、外部入力によるコイル駆動後にタイマをスタートさせると共に第２タイムアップ信号により、カウンタ部が所定回数までカウントし、２回目以降は自動的にコイル駆動を行うと共に１回目同様に、復帰受け付け期間と復帰を受け付けない期間をそれぞれそれを外部報知し、ガス遮断装置の復帰受け付け期間を前記所定回数まで延長できるので、所定時間内で確実に復帰操作ができるようになり、他の仕事と平行した作業工程の自由度を大きくすることができる。
【００１３】
請求項５に記載の発明は、上記各発明において、設定器入力部は、外部からの入力により設定リセット信号と設定情報送信信号を出力するものであり、通信制御部は、タイマ設定部のタイマが動作中は、前記設定器入力部からの前記設定リセット信号の入力がない限り、前記設定情報送信信号の入力を禁止するものであるガス遮断装置用の設定器装置である。この設定器装置によれば、設定器装置側で、前記タイマが動作中は、設定リセット信号の入力がない限り、外部から設定情報送信信号を入力できないようにすることにより、ガス遮断装置からの光信号を受光できずに何回もコイル駆動することによる電池の消耗を防止する効果を得ることができる。
【００１４】
請求項６記載の発明は、上記各発明において、タイマ設定部は、タイマスタート信号の入力によりタイマを動作し、タイマ設定情報信号の入力により所定時間にタイマを設定し、そのタイマ設定時間を経過すると第３タイムアップ信号を出力するものであり、通信制御部は、設定器入力部からの設定情報送信信号を受け取り、それにタイマ設定情報が含まれていれば、前記タイマ設定部に前記タイマ設定情報信号を出力し、前記第３タイムアップ信号の入力により前記タイマ設定時間終了を報知する第３報知信号を出力するものであるガス遮断装置用の設定器装置である。この設定器装置によれば、コイル駆動と同時にスタートするタイマにより任意に時間を設定し、そのタイマ設定時間を第３タイムアップ信号により報知手段に報知させることにより、作業者の作業状況にあったタイミングを報知して復帰操作を確実に行えるようにし、他の仕事と平行した作業を効率よく進行することができる。
【００１５】
【実施例】
以下、本発明の実施例について図面を用いて説明する。
【００１６】
図１は本発明の実施例に係るガス遮断装置Ｍ１と設定器装置Ｓ１の機能ブロック図、図２はタイミングチャート、図３は設定器装置Ｓ１のプログラムフロー図である。
【００１７】
図１において、通信制御部Ｓ３は、外部入力された設定器入力部Ｓ２からの設定情報送信信号Ｔ１の入力により、コイル駆動部Ｓ４に、図示しないガス遮断装置Ｍ１に内蔵されたマイコンに対する各種設定モードに応じた信号に基づき（本実施例ではテスト遮断のための弁遮断スイッチＭ２の操作信号）、コイル駆動信号Ｔ２を出力する。コイル駆動部Ｓ４は、コイル駆動信号Ｔ２を入力するとコイルをＯＮ／ＯＦＦさせ、ガス遮断装置Ｍ１の弁遮断スイッチＭ２に磁気信号Ｌ１を出力する。
【００１８】
ガス遮断装置Ｍ１の弁遮断スイッチＭ２は、磁気信号Ｌ１により遮断信号Ｎ１を遮断弁Ｍ３に出力してガス通路をテスト遮断させる。遮断弁Ｍ３が遮断後、遮断弁Ｍ３を人手により復帰させることにより、復帰信号Ｎ２を発光部Ｍ４に出力する。復帰信号Ｎ２が一定の復帰受け付け期間内（例えば、コイル駆動直後の２秒経過後の３８秒間）に入力されると、発光部Ｍ４は光信号Ｌ２を設定器装置Ｓ１の受光部Ｓ５に出力し、受光部Ｓ５は光信号Ｌ２を入力すると受光信号Ｔ３を通信制御部Ｓ３に出力する。通信制御部Ｓ３は受光信号Ｔ３が同期信号かどうかを判断し、同期信号であればコイル駆動部Ｓ４にコイル駆動信号Ｔ２を出力してガス遮断装置Ｍ１と設定器装置Ｓ１との通信が開始される。
【００１９】
また、通信制御部Ｓ３は、設定器入力部Ｓ２からの設定情報送信信号Ｔ１の入力時に、コイル駆動部Ｓ４にコイル駆動信号Ｔ２を出力すると同時に、カウンタ部Ｓ６にカウンタリセット信号Ｔ４を出力し、タイマ設定部Ｓ７にタイマスタート信号Ｔ５を出力し、図２に示す第１〜第３タイムアップ信号Ｔ６1 〜Ｔ６3 の入力を許可し、報知手段Ｓ８に復帰を受け付けない期間を報知する第１報知信号Ｔ７（注意を引くブザー音など）を出力し始め、前記コイル駆動から一定の時間（タイマ設定部Ｓ７が第１タイムアップ信号Ｔ６1 を出力するまで) だけ報知させる。以下、図２のタイムチャート図を図１に併せて参照する。尚、本実施例では、２回目の復帰受け付け期間内に遮断弁Ｍ３を復帰させた場合を示している。したがって、１回目の復帰を受け付けない期間は遮断直後であるが、２回目の復帰を受け付けない期間はコイル駆動直後（図２で表れるのは磁気信号Ｌ１の出力直後）となる。
【００２０】
通信制御部Ｓ３は第１タイムアップ信号Ｔ６1 を入力すると報知手段Ｓ８への第１報知信号Ｔ７の出力をやめ、今度は報知手段Ｓ８に第１報知信号Ｔ７とは異なったパターン（例えば、ＬＣＤ表示、ＬＥＤ表示などが状態を示す点で好ましく、復帰を受け付けない期間を報知するブザー音とは異なった報知の仕方をする。）で復帰受け付け期間を報知する第２報知信号Ｔ８を出力し始めると共に、設定器入力部Ｓ２からの設定情報送信信号Ｔ１の入力を禁止する。
【００２１】
タイマ設定部Ｓ７は、外部より任意に設定したタイマ設定時間を過ぎれば、第３タイムアップ信号Ｔ６3 （尚、請求項記載の順序に併せているので、実施例では時系列に第１→第３→第２タイムアップ信号の順序となる。）を出力する。通信制御部Ｓ３は、第３タイムアップ信号Ｔ６3 を入力すると、報知手段Ｓ８に、注意を引く任意の時間（例えば１秒）だけ、ブザー音などでタイマ設定時間終了を報知する第３報知信号を出力する。またタイマ設定部Ｓ７は、復帰受け付け期間（例えば、コイル駆動直後の復帰を受け付けない期間の２秒経過後の３８秒間）が経過すれば、通信制御部Ｓ３に第２タイムアップ信号Ｔ2 を出力する。通信制御部Ｓ３は、第２タイムアップ信号Ｔ2 を入力すると、復帰受け付け期間を報知させる第２報知信号Ｔ８の出力をやめ、カウンタ部Ｓ６にカウントアップ信号Ｔ９を出力する。カウンタ部Ｓ６はカウントアップ信号Ｔ９を入力するとカウンタをカウントアップし、所定のカウントでなければ（例えば３回）、再送信信号Ｔ１０を出力し、所定の回数に達すると再送信信号Ｔ１０の出力をやめる。
【００２２】
通信制御部Ｓ３は再送信信号Ｔ１０を入力すれば再度コイル駆動信号Ｔ２を出力し、コイル駆動部Ｓ４に磁気信号Ｌ１を出力させ、再度のタイマスタート信号Ｔ５と復帰を受け付けない期間を報知させる第１報知信号Ｔ７（ブザー音）を出力する。タイマ設定部Ｓ７は、第２タイムアップ信号Ｔ2 を出力してから、復帰を受け付けない期間（２秒）が経過すると第１タイムアップ信号Ｔ1 を出力し、通信制御部Ｓ３は、タイマスタート信号Ｔ５を再出力してから第１タイムアップ信号Ｔ1 を入力するまで前記第１報知信号Ｔ７を出力し続ける。そして、上述同様に、タイマ設定部Ｓ７は２回目のタイマ設定時間が経過すると第３タイムアップ信号Ｔ６3 を出力する。その後、２回目の復帰受け付け期間内に復帰して遮断弁Ｍ３から復帰信号Ｎ２が出力され、それを光信号Ｌ２として受光部Ｓ５が受光し、通信制御部Ｓ３が通信開始と判定すると、カウンタ部Ｓ６にカウンタリセット信号Ｔ４を出力し、第２報知信号Ｔ８の出力を中止し、第２タイムアップ信号Ｔ６2 の入力を禁止する。そして設定器装置Ｓ１とガス遮断装置Ｍ１との間の通信が開始され、設定情報送信信号Ｔ１の入力による各種モードの設定・変更が可能となる。
【００２３】
尚、外部からの入力により設定器入力部Ｓ２から設定リセット信号Ｔ１１を通信制御部Ｓ３が入力した場合には、設定器入力部Ｓ２からの設定情報送信信号Ｔ１の入力を許可し、タイムアップ信号Ｔ６の入力を禁止する。
【００２４】
本実施例における設定器装置Ｓ１の制御プログラムを、図３に示すフロー図に基づき説明する。まずＦ１にて、設定器入力部Ｓ２にて設定情報の入力後、Ｆ２にて、設定器入力部Ｓ２から通信制御部Ｓ３に設定情報を送信する。そしてＦ３にて、カウンタ部Ｓ６のカウンタをリセットし、Ｆ４にて通信制御部Ｓ３は設定情報送信信号Ｔ１を入力するとコイル駆動部Ｓ４にコイル駆動を行わせ、Ｆ５にてタイマ設定部Ｓ７でタイマスタートさせ、Ｆ６にてタイムアップ信号の入力を許可し、Ｆ７にて遮断弁Ｍ３の復帰を受け付けない期間を報知手段Ｓ８によりブザーなどで報知させる。復帰を受けつけない期間が経過すると、Ｆ８にてタイマ設定部Ｓ７が第１タイムアップ信号Ｔ６1 を出力し（図２）、Ｆ９にて報知手段Ｓ８は復帰を受け付けない期間の報知を停止し、Ｆ１０にて設定器入力部Ｓ２からの設定情報送信信号Ｔ１からの入力を禁止し、Ｆ１１にて報知手段Ｓ８は復帰を受けつけることを報知する（例えばＬＣＤ表示で「復帰可能」など）。
【００２５】
Ｆ１２にて復帰受け付け期間の経過時に出力される第２タイムアップ信号Ｔ６2 が入力されたかどうかを判定し、復帰受け付け期間であれば、Ｆ１３にてタイマ設定時間が経過しているかどうかを判定し、経過していればＦ１４にて第３報知手段により報知させ（ブザー音）、タイマ設定時間内にＦ１５にて受光部Ｓ５が復帰による同期信号を受光したかどうかを判定し、同期信号であればＦ１６にてカウンタ部Ｓ６のカウンタをリセットして報知手段Ｓ８に第２報知手段の出力を停止させる。Ｆ１７にて、タイマ設定部Ｓ７からのタイムアップ信号Ｔ６の入力を禁止し、同期信号の入力によりＦ１８にて通信を開始し、Ｆ１９にて設定情報送信信号Ｔ１の入力を許可して終了する。
【００２６】
Ｆ１２にて復帰受け付け期間を経過したら、第２タイムアップ信号Ｔ６2 を出力し、Ｆ２０にて所定の回数（例えば３回）コイルを駆動したのかを判断し、所定の回数に達していればＦ２１にてカウンタ部Ｓ６のカウンタをリセットすると共に、第２報知信号Ｔ８の出力を停止し、Ｆ１９にて設定情報送信信号Ｔ１の入力を許可して終了する。またカウンタが所定の回数に達していなければ、Ｆ４に戻り、再度コイル駆動部Ｓ４を駆動し磁気信号Ｌ１を出力させる。
【００２７】
尚、Ｆ２２にて設定器入力部Ｓ２から設定リセット信号Ｔ１１を通信制御部Ｓ３が入力した場合には、Ｆ２３にて設定器入力部Ｓ２からの設定情報送信信号Ｔ１の入力を許可し、Ｆ２４にてタイムアップ信号Ｔ６の入力を禁止する。
【００２８】
本発明は上記実施例に示すほか種々の態様に構成することができ、例えば、上記実施例では、復帰を受け付けない期間および復帰受け付け期間の両方を報知するように構成したが、そのどちらかのみを報知するように構成することもできる。
【００２９】
【発明の効果】
以上のように本発明のガス遮断装置用の設定器装置によれば、次の効果が得られる。
１．設定器装置側で、ガス遮断装置の遮断弁を遮断させるためのコイル駆動を行った直後の復帰を受け付けない期間を報知することにより、ガス遮断装置が発光部より光信号を出力できない期間であることを作業者に明確にして、復帰操作の確実性、設定作業の操作性を向上する効果がある。
２．設定器装置側で、前記復帰を受け付けない期間の報知に加え、その期間を経過して復帰受け付け期間であることを報知することにより、ガス遮断装置が発光部より光信号を出力できない期間であることも作業者に明確にして、復帰操作の確実性、設定作業の操作性をより向上する効果がある。
３．設定器装置側で、復帰受け付け期間であることのみを報知することにより、ガス遮断装置が発光部より光信号を出力できない期間であることのみを作業者に明確にして、復帰操作の確実性、設定作業の操作性をより向上する効果がある。
４．設定器装置側で、外部入力によるコイル駆動後にタイマをスタートさせると共にタイムアップ信号により所定回数までカウントし、２回目以降は自動的にコイル駆動を行うと共にそれを外部報知し、ガス遮断装置の復帰受け付け期間を前記所定回数まで延長できるので、所定時間内で確実に復帰操作ができるようになり、他の仕事と平行した作業工程の自由度を大きくすることができる。
５．設定器装置側で、前記タイマが動作中は、設定情報送信信号を入力できないようにすることにより、電池の消耗の激しいガス遮断装置のコイル駆動を誤操作から極力防ぐ効果がある。
６．設定器装置側で、前記タイマにより任意に時間を設定し、そのタイマ設定時間を報知することにより、作業者の作業状況にあったタイミングを報知して復帰操作を確実に行えるようにし、他の仕事と平行した作業を効率よく進行することができる。
【図面の簡単な説明】
【図１】本発明の実施例におけるガス遮断装置用の設定器装置の機能ブロック図。
【図２】同実施例におけるタイミングチャート図。
【図３】同実施例におけるプログラムフロー図。
【図４】従来のガス遮断装置用の設定器装置の機能ブロック図。
【符号の説明】
Ｓ１  設定器装置
Ｓ２  設定器入力部
Ｓ３  通信制御部
Ｓ４  コイル駆動部
Ｓ５  受光部
Ｓ６  カウンタ部
Ｓ７  タイマ設定部
Ｓ８  報知手段
Ｍ１  ガス遮断装置
Ｍ２  弁遮断スイッチ
Ｍ３  遮断弁
Ｍ４  発光部
【図１】
0004672185.tif 000002
【図２】
0004672185.tif 000003
【図３】
0004672185.tif 000004
【図４】
0004672185.tif 000005